(57)【要約】【要  約】【課  題】    天井埋込型空気調和装置において、第１エアーフィルターおよび第２エアーフィルターを掃除したり交換したりすることを容易にする。【解決手段】  天井埋込型空気調和装置は、室内機本体（１）の下方にグリル枠（１４）が設けられ、このグリル枠は空気吸込口（１１）および空気吹出口（１２）を具備し、昇降装置が吊りひも（３２〜３４）を巻取り・繰り出しすることにより、昇降グリル（３１）が上下動し、上昇時には昇降グリルがグリル枠の空気吸込口に位置している。そして、前記昇降グリルの上面に第１エアーフィルター（３６）が着脱可能に取り付けられ、この第１エアーフィルターに設けられた係止部（４４）に、山形をしたフィルター支持フレーム（４６）の係合部（５３）が着脱可能に係合し、このフィルター支持フレームに第２エアーフィルター（３７）が取り付けられている。【選択図】  図２
2005156018.tif 000002
【特許請求の範囲】
【請求項１】
室内機本体の下方にグリル枠が設けられ、このグリル枠は空気吸込口および空気吹出口を具備し、昇降装置が吊りひもを巻取り・繰り出しすることにより、昇降グリルが上下動し、上昇時には昇降グリルがグリル枠の空気吸込口に位置している天井埋込型空気調和装置において、
前記昇降グリルの上面に第１エアーフィルターが着脱可能に取り付けられ、
この第１エアーフィルターに設けられた係止部に、山形をしたフィルター支持フレームの係合部が着脱可能に係合し、
このフィルター支持フレームに第２エアーフィルターが取り付けられていることを特徴とする天井埋込型空気調和装置。
【請求項２】
前記フィルター支持フレームは、第１傾斜枠および第２傾斜枠を有し、
この第１傾斜枠および第２傾斜枠に各々前記第２エアーフィルターが着脱可能に取り付けられることを特徴とする請求項１記載の天井埋込型空気調和装置。
【発明の詳細な説明】
【技術分野】
【０００１】
本発明は、天井埋込型空気調和装置に関する。
【背景技術】
【０００２】
従来、天井埋込型空気調和装置には、たとえば特許文献１に記載されているように、エアーフィルターを掃除したりまた交換したりするために、昇降装置で吊りひもを巻取り・繰り出しすることにより昇降グリルを上下動可能にしているものがある。しかしながら、このエアーフィルターは、荒いゴミやホコリを除去するロングライフフィルターであり、煙などの除去や抗菌などを行う空気清浄フィルターは設けられていない。
【０００３】
また、たとえば特許文献２に記載されているように、第１エアーフィルターであるロングライフフィルターとは別に、第２エアーフィルターとして空気清浄フィルターを設けた天井埋込型空気調和装置があるが、この空気清浄フィルターは天井埋込型空気調和装置の室内機本体のドレンパンに取り付けられており、脚立などを用いて作業者が登る必要があり、フィルターを掃除したり交換する作業に手間がかかっている。
【０００４】
そこで、昇降グリルに空気清浄フィルターを取り付けることを検討した。しかしながら、空気清浄フィルターを昇降グリルに取り付けると、フィルターを掃除したりまた交換したりする際には、ロングライフフィルターの作業と空気清浄フィルターの作業とを個別に行う必要がある。このフィルターの昇降グリルへの取付け・取外し作業は、昇降グリルが吊りひもで吊り下げられており、昇降グリルが揺れるので、手間がかかる。
【特許文献１】特開平１０−１２２５９２号公報
【特許文献２】特許第３０４３１１２号明細書
【発明の開示】
【発明が解決しようとする課題】
【０００５】
解決しようとする問題点は、第１エアーフィルターおよび第２エアーフィルターを掃除したり交換したりすることが容易でない点である。
【課題を解決するための手段】
【０００６】
本発明の天井埋込型空気調和装置は、室内機本体（１）の下方にグリル枠（１４）が設けられ、このグリル枠は空気吸込口（１１）および空気吹出口（１２）を具備し、昇降装置が吊りひも（３２〜３４）を巻取り・繰り出しすることにより、昇降グリル（３１）が上下動し、上昇時には昇降グリルがグリル枠の空気吸込口に位置している。そして、前記昇降グリルの上面に第１エアーフィルター（３６）が着脱可能に取り付けられ、この第１エアーフィルターに設けられた係止部（４４）に、山形をしたフィルター支持フレーム（４６）の係合部（５３）が着脱可能に係合し、このフィルター支持フレームに第２エアーフィルター（３７）が取り付けられている。
【０００７】
また、前記フィルター支持フレームは、第１傾斜枠（４７）および第２傾斜枠（４８）を有し、この第１傾斜枠および第２傾斜枠に各々前記第２エアーフィルターが着脱可能に取り付けられることがある。
【発明の効果】
【０００８】
本発明によれば、昇降グリルの上面に着脱可能に取り付けられている第１エアーフィルターに係止部が設けられ、この係止部にフィルター支持フレームの係合部が着脱可能に係合し、このフィルター支持フレームに第２エアーフィルターが取り付けられているので、昇降グリルを下降させて、第１エアーフィルターおよび第２エアーフィルターを清掃したり、交換したりすることができ、脚立などを利用して登る必要がなくなる。しかも、第１エアーフィルターおよび第２エアーフィルターを個別に着脱することができるとともに、第１エアーフィルターおよび第２エアーフィルターを一体として昇降グリルから取り外したり、昇降グリルに取り付けたりすることができる。したがって、作業内容に応じて適宜対応することができる。たとえば、第１エアーフィルターおよび第２エアーフィルターを一体として昇降グリルから着脱し、第１エアーフィルターと第２エアーフィルターとの分離・合体は、作業台などで行うことができ、昇降グリル上で第１エアーフィルターおよび第２エアーフィルターの両者を個別に着脱するよりも容易となる。
【発明を実施するための最良の形態】
【０００９】
天井埋込型空気調和装置において、第１エアーフィルターおよび第２エアーフィルターを掃除したり交換したりすることを容易にするという目的を、昇降グリルの上面に着脱可能に取り付けられている第１エアーフィルターに係止部を設け、この係止部にフィルター支持フレームの係合部を着脱可能に係合させ、このフィルター支持フレームに第２エアーフィルターを取り付けることで実現した。
【実施例１】
【００１０】
次に、本発明における天井埋込型空気調和装置の一実施例について、図１ないし図６を用いて説明する。図１は本発明における天井埋込型空気調和装置の実施例の斜視図である。図２はグリル枠、エアーフィルターおよび昇降グリルの斜視図である。図３はロングライフフィルターを昇降グリルに取り付ける状態を説明するための斜視図である。図４は空気清浄フィルターをフィルター支持フレームに取り付ける状態を説明するための斜視図および要部拡大図である。図５は室内機本体の内部を説明するための図である。図６は取付部の説明図で、（ａ）が空気清浄フィルターのフィルター支持フレームへの取付部の断面図、（ｂ）がフィルター支持フレームのロングライフフィルターへの取付部の側面図、（ｃ）がフィルター支持フレームのロングライフフィルターへの取付部の斜視図である。なお、図１において、昇降グリルはグリル枠に取り付けられた状態と、下降した状態の両方の状態で図示されている。図５において、空気清浄フィルターの概略の配置位置が一点鎖線で図示されている。そして、この明細書の記載において、天井埋込型空気調和装置の長手方向を左右方向とし、２本の吊りひもが配置されている側を前側としている。
【００１１】
まず始めに、天井埋込型空気調和装置の全体構成を説明する。
天井埋込型空気調和装置の室内機本体１の外装板２には、その左右側面の前後に固定部としての固定フランジ３が総計４個設けられている。天井板６には、室内機本体１を下側から天井内に設置することが可能なように開口部７が形成される。
【００１２】
また、アンカーボルト９が天井内の構造体（図示しない）に取り付けられており、このアンカーボルト９の下端部に室内機本体１の固定フランジ３を固定することにより、室内機本体１は天井内に設置される。
【００１３】
この室内機本体１の下端に、空気吸込口１１および空気吹出口１２を具備するグリル枠１４が取り付けられている。室内機本体１の内部には、略ハの字状に配置された熱交換ユニット１６および、送風機であるクロスフローファン１７が設けられている。熱交換ユニット１６は空気吸込口１１の上方に配置されている。そして、クロスフローファン１７は、略ハの字状の熱交換ユニット１６を挟んで一対設けられている。
【００１４】
グリル枠１４の空気吸込口１１には、昇降グリル３１が配設されている。この昇降グリル３１には、前側の左右および後側の中央部に吊りひも３２，３３，３４が各々取り付けられている。計３本の吊りひも３２，３３，３４の上端は、グリル枠１４の上に設けられている昇降装置（図示しない）に各々取り付けられている。昇降装置が稼働して、吊りひも３２，３３，３４を巻取り・繰り出しすると、昇降グリル３１は上下方向に移動する。この昇降グリル３１には、荒いゴミやホコリを除去する第１エアーフィルターであるロングライフフィルター３６、および、煙などの除去や抗菌などを行う第２エアーフィルターとして空気清浄フィルター３７が着脱自在に設けられている。そして、ロングライフフィルター３６や空気清浄フィルター３７を清掃したり、また、取り換えたりする際には、昇降グリル３１を下降させる。また、空気調和の際には、昇降グリル３１を上昇させて空気吸込口１１に位置させる。そして、クロスフローファン１７が稼働すると、グリル枠１４の空気吸込口１１から下方の空気を吸い込んで、ロングライフフィルター３６および空気清浄フィルター３７でホコリなどを取り除いて、熱交換ユニット１６に通して冷却または加熱されて、グリル枠１４の前後の空気吹出口１２から下方に吹き出している。
【００１５】
次に、ロングライフフィルター３６および空気清浄フィルター３７の詳細を説明する。ロングライフフィルター３６は矩形形状をしており、その縁部に係合部４１を有している。一方、昇降グリル３１にはその上面にロングライフフィルター３６を着脱可能に係止する係止部としての係止爪４２が設けられている。また、ロングライフフィルター３６には前後方向に桟が設けられ、この桟にフィルター支持フレーム用係止部４４が張り出して設けられている。
【００１６】
空気清浄フィルター３７を着脱可能に支持するフィルター支持フレーム４６は、第１傾斜枠４７および第２傾斜枠４８を有し、第１傾斜枠４７の上端部と第２傾斜枠４８の上端部を連結部４９で連結するとともに、第１傾斜枠４７および第２傾斜枠４８はこの連結部４９から裾広がり配置されて略ハの字状になり山形を形成している。そして、第１傾斜枠４７および第２傾斜枠４８は各々その下端部に脚部５１が複数本設けられている。脚部５１の下端部には、ロングライフフィルター３６の係止部４４に着脱可能に係合する係合部としての上下の係合爪５３が設けられている。また、空気清浄フィルター３７を係止する係止部５６，５７が、フィルター支持フレーム４６の連結部４９および、傾斜枠４７，４８の下端部に設けられている。一方、空気清浄フィルター３７には、上端に係合部としての係合爪６１が、また下端に略Ｕ字状の弾性を有する係合部６２が設けられ、この係合爪６１および係合部６２を係止部５６，５７に係合させることにより、空気清浄フィルター３７は第１傾斜枠４７および第２傾斜枠４８に着脱可能に取り付けられる。
そして、昇降グリル３１が上昇して、グリル枠１４の空気吸込口１１に位置している際には、各空気清浄フィルター３７は、略ハの字状に配置されている熱交換ユニット１６に対向して配置される。
【００１７】
この様に構成されているロングライフフィルター３６および空気清浄フィルター３７の取り付け方法を説明する。
１）ロングライフフィルター３６を昇降グリル３１に取り付ける作業は、ロングライフフィルター３６の係合部４１を昇降グリル３１の係止爪４２に着脱可能に係合することにより行われる。
２）フィルター支持フレーム４６をロングライフフィルター３６に取り付ける作業は、フィルター支持フレーム４６の上下の係合爪５３をロングライフフィルター３６の係止部４４に着脱可能に係合することにより行われる。なお、係止部４４は４か所のみに設けられており、中央部の脚部５１の係合爪５３は使用されない。
３）空気清浄フィルター３７をフィルター支持フレーム４６の第１傾斜枠４７および第２傾斜枠４８に取り付ける作業は、空気清浄フィルター３７の係合爪６１および係合部６２をフィルター支持フレーム４６の係止部５６，５７に着脱可能に係合することにより行われる。
上記１）〜３）の取付作業および取外作業の順番は順不同で、何れから行うことも可能である。
【００１８】
そして、空気清浄フィルター３７がフィルター支持フレーム４６に取り付けられ、このフィルター支持フレーム４６がロングライフフィルター３６に取り付けられ、かつ、ロングライフフィルター３６が昇降グリル３１に取り付けられると、空気清浄フィルター３７およびロングライフフィルター３６などが昇降グリル３１と一体となって、上下動することができる。
【００１９】
前述の様に、上記実施例においては、昇降グリル３１、ロングライフフィルター３６、フィルター支持フレーム４６および空気清浄フィルター３７が各々分離可能であるので、ロングライフフィルター３６、フィルター支持フレーム４６および空気清浄フィルター３７を個別に着脱することができるとともに、ロングライフフィルター３６、フィルター支持フレーム４６および空気清浄フィルター３７が一体となった状態で、昇降グリル３１に取り付けたり、また、昇降グリル３１から取り外したりすることができる。
【００２０】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）吊りひもや脚部の数などは適宜変更可能である。
【００２１】
（２）昇降装置は、吊りひもを巻き上げ・繰り出しができるならば、その構造や形式は適宜変更可能である。
（３）空気吹出口１２は前側および後側の２か所に設けられているが、その個数や配置箇所などは適宜変更可能であり、たとえば、配置箇所を１か所にすることも可能である。
（４）室内機本体１を天井内の構造体に支持させるための固定手段は適宜変更可能である。
（５）係合部および係止部の構造、数量や形式などは着脱可能であるならば、適宜変更可能である。
【産業上の利用可能性】
【００２２】
昇降グリルが上下動する天井埋込型空気調和装置に適用することができる。
【図面の簡単な説明】
【００２３】
【図１】図１は本発明における天井埋込型空気調和装置の実施例の斜視図である。
【図２】図２はグリル枠、エアーフィルターおよび昇降グリルの斜視図である。
【図３】図３はロングライフフィルターを昇降グリルに取り付ける状態を説明するための斜視図である。
【図４】図４は空気清浄フィルターをフィルター支持フレームに取り付ける状態を説明するための斜視図および要部拡大図である。
【図５】図５は室内機本体の内部を説明するための図である。
【図６】図６は取付部の説明図で、（ａ）が空気清浄フィルターのフィルター支持フレームへの取付部の断面図、（ｂ）がフィルター支持フレームのロングライフフィルターへの取付部の側面図、（ｃ）がフィルター支持フレームのロングライフフィルターへの取付部の斜視図である。
【符号の説明】
【００２４】
１  室内機本体
１１  空気吸込口
１２  空気吹出口
１４  グリル枠
３１  昇降グリル
３２〜３４  吊りひも
３６  ロングライフフィルター（第１エアーフィルター）
３７  空気清浄フィルター（第２エアーフィルター）
４４  係止部
４６  フィルター支持フレーム
４７  第１傾斜枠
４８  第２傾斜枠
５３  係合爪（係合部）
【図１】
2005156018.tif 000003
【図２】
2005156018.tif 000004
【図３】
2005156018.tif 000005
【図４】
2005156018.tif 000006
【図５】
2005156018.tif 000007
【図６】
2005156018.tif 000008